【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
生医療撮像データから再構成医療画像を発生する医療画像再構成エンジンのための、前記生医療撮像データを発生する医療撮像マシンと、
医療撮像診断コントローラを含む、前記医療撮像マシンにより発生された前記生医療撮像データの医療診断のための生診断マシンと、
を有する医療撮像診断システムであって、前記医療撮像診断コントローラが、
前記生医療撮像データを、該生医療撮像データから少なくとも１つの次元削減特徴ベクトルを選択又は抽出するように訓練される次元削減プリプロセッサに入力し、
前記少なくとも１つの次元削減特徴ベクトルを、前記生医療撮像データの診断評価を行うように訓練される生診断人工知能エンジンに入力し、及び
前記生医療撮像データの前記診断評価の伝達を制御する、
医療撮像診断システム。
【請求項２】
前記生診断人工知能エンジンが、人工ニューラルネットワーク及び教師有り学習マシンの少なくとも一方を含む、請求項１に記載の医療撮像診断システム。
【請求項３】
前記医療撮像マシンが、磁気共鳴撮像マシン、コンピュータトモグラフィ撮像マシン、超音波撮像マシン、Ｘ線撮像マシン、拡散光トモグラフィマシン、陽電子放出トモグラフィマシン及び単一光子放射コンピュータトモグラフィマシンのうちの１つである、請求項１に記載の医療撮像診断システム。
【請求項４】
前記生医療撮像データが、ＭＲＩのｋ空間データ、ＣＴサイノグラムデータ、及び／又はＰＥＴリストモードファイルを含む、請求項１に記載の医療撮像診断システム。
【請求項５】
前記医療撮像診断コントローラが、更に、
前記生医療撮像データを、再構成医療画像を発生するための前記医療画像再構成エンジンに入力し、及び
前記再構成医療画像の伝達を制御する、
請求項１に記載の医療撮像診断システム。
【請求項６】
前記医療撮像診断コントローラが、更に、
前記再構成医療画像を、該再構成医療画像から少なくとも１つの医療画像特徴ベクトルを選択又は抽出するように訓練される医療画像プリプロセッサに入力し、
前記少なくとも１つの医療画像特徴ベクトルを、前記再構成医療画像の診断評価を行うように訓練される画像診断人工知能エンジンに入力し、及び
前記再構成医療画像の診断評価の伝達を制御する、
請求項３に記載の医療撮像診断システム。
【請求項７】
前記医療撮像診断コントローラが、更に、
再構成医療画像を、該再構成医療画像から少なくとも１つの医療画像特徴ベクトルを選択又は抽出するように訓練される医療画像プリプロセッサに入力し、
前記少なくとも１つの医療画像特徴ベクトルを、前記再構成医療画像の診断評価を行うように訓練される画像診断人工知能エンジンに入力し、及び
前記再構成医療画像の診断評価の伝達を制御する、
請求項１に記載の医療撮像診断システム。
【請求項８】
前記次元削減プリプロセッサが、指定された解剖学的領域及び指定された解剖学的臓器の一方に対応して、前記生医療撮像データから前記少なくとも１つの次元削減特徴ベクトルを選択又は抽出するように訓練され、及び
前記生診断人工知能エンジンが、前記指定された解剖学的領域及び前記指定された解剖学的臓器の一方に対応して、前記生医療撮像データの診断評価を行うように訓練される、
の少なくとも一方である、請求項１に記載の医療撮像診断システム。
【請求項９】
医療撮像マシンにより発生される生医療撮像データを処理するために少なくとも１つのプロセッサにより実行する命令によりエンコードされた非一時的マシン読取可能な記憶媒体であって、前記生医療撮像データは、当該生医療撮像データから再構成医療画像を発生する医療画像再構成エンジンのためであり、前記非一時的マシン読取可能な記憶媒体は、
前記生医療撮像データを、該生医療撮像データから少なくとも１つの次元削減特徴ベクトルを選択又は抽出するように訓練される次元削減プリプロセッサに入力し、及び
前記少なくとも１つの次元削減特徴ベクトルを、前記生医療撮像データの診断評価を行うように訓練される生診断人工知能エンジンに入力する、
ための命令を有する、非一時的マシン読取可能な記憶媒体。
【請求項１０】
当該非一時的マシン読取可能な記憶媒体が、
前記生医療撮像データを、再構成医療画像を発生するための前記医療画像再構成エンジンに入力する、
ための命令を更に有する、請求項９に記載の非一時的マシン読取可能な記憶媒体。
【請求項１１】
当該非一時的マシン読取可能な記憶媒体が、
前記再構成医療画像を、該再構成医療画像から少なくとも１つの医療画像特徴ベクトルを選択又は抽出するように訓練される医療画像プリプロセッサに入力し、及び
前記少なくとも１つの医療画像特徴ベクトルを、前記再構成医療画像の診断評価を行うように訓練される画像診断人工知能エンジンに入力する、
ための命令を更に有する、請求項１０に記載の非一時的マシン読取可能な記憶媒体。
【請求項１２】
当該非一時的マシン読取可能な記憶媒体が、
再構成医療画像を、該再構成医療画像から少なくとも１つの医療画像特徴ベクトルを選択又は抽出するように訓練される医療画像プリプロセッサに入力し、及び
前記少なくとも１つの医療画像特徴ベクトルを、前記再構成医療画像の診断評価を行うように訓練される画像診断人工知能エンジンに入力する、
ための命令を更に有する、請求項９に記載の非一時的マシン読取可能な記憶媒体。
【請求項１３】
前記次元削減プリプロセッサが、指定された解剖学的領域及び指定された解剖学的臓器の一方に対応して、前記生医療撮像データから前記少なくとも１つの次元削減特徴ベクトルを選択又は抽出するように訓練され、及び
前記生診断人工知能エンジンが、前記指定された解剖学的領域及び前記指定された解剖学的臓器の一方に対応して、前記生医療撮像データの診断評価を行うように訓練される、
の少なくとも一方である、請求項９に記載の非一時的マシン読取可能な記憶媒体。
【請求項１４】
医療撮像マシンにより発生される生医療撮像データの医療撮像診断コントローラによる医療診断のための医療撮像診断方法であって、前記生医療撮像データは、当該生医療撮像データから再構成医療画像を発生する医療画像再構成エンジンのためであり、前記医療撮像診断方法は、
前記医療撮像診断コントローラにより、前記生医療撮像データを、該生医療撮像データから少なくとも１つの次元削減特徴ベクトルを選択又は抽出するように訓練される次元削減プリプロセッサに入力するステップ、及び
前記医療撮像診断コントローラにより、前記少なくとも１つの次元削減特徴ベクトルを、前記生医療撮像データの診断評価を行うように訓練される生診断人工知能エンジンに入力するステップ、
を有する、医療撮像診断方法。
【請求項１５】
前記医療撮像診断コントローラにより、前記生医療撮像データを、再構成医療画像を発生するための前記医療画像再構成エンジンに入力するステップ、
前記医療撮像診断コントローラにより、前記再構成医療画像を、該再構成医療画像から少なくとも１つの医療画像特徴ベクトルを選択又は抽出するように訓練される医療画像プリプロセッサに入力するステップ、及び
前記医療撮像診断コントローラにより、前記少なくとも１つの医療画像特徴ベクトルを、前記再構成医療画像の診断評価を行うように訓練される画像診断人工知能エンジンに入力するステップ、
を更に有する、請求項１４に記載の医療撮像診断方法。
【請求項１６】
前記医療撮像診断コントローラにより、再構成医療画像を、該再構成医療画像から少なくとも１つの医療画像特徴ベクトルを選択又は抽出するように訓練される医療画像プリプロセッサに入力するステップ、及び
前記医療撮像診断コントローラにより、前記少なくとも１つの医療画像特徴ベクトルを、前記再構成医療画像の診断評価を行うように訓練される画像診断人工知能エンジンに入力するステップ、
を更に有する、請求項１４に記載の医療撮像診断方法。
【請求項１７】
前記次元削減プリプロセッサによる前記生医療撮像データからの前記少なくとも１つの次元削減特徴ベクトルの選択又は抽出が、指定された解剖学的領域及び指定された解剖学的臓器の一方に対応し、及び
前記医療撮像診断コントローラによる前記生医療撮像データの診断評価の実行が、前記指定された解剖学的領域及び前記指定された解剖学的臓器の一方に対応する、
の少なくとも一方である、請求項１４に記載の医療撮像診断方法。